(57)【要約】      （修正有）【課題】釣具の釣糸を切断する事無く安易に釣具錘の設置及び交換を可能とする釣具錘の交換装置を提供する。【解決手段】本釣具錘の交換装置は、釣具錘の交換装置上部と下部に螺旋状コイル形状を施して、釣糸を螺旋状コイル形状の間に釣糸を螺旋状コイル形状の中空を通して釣具錘の交換装置が釣糸に装着することで、釣糸を切断し新たな錘を交換装着し釣糸を再び結び直す手間と時間掛けずに釣具錘の交換ができる。【選択図】図１
0003171715.tif 000002
【実用新案登録請求の範囲】
【請求項１】
釣糸に金属又はプラスチック釣具錘の交換装置上部螺旋状コイル形状と下部螺旋状コイル形状に釣糸を通して設置し、その金属又はプラスチック釣具錘の交換装置に中空を施した釣具錘を設置して、金属又はプラスチックの釣具錘の交換装置からコイル形状金具又はチューブ形状ゴム・プラスチックの抜け防止固定具５で固定をして実施できる形態を特徴する釣具錘の交換装置。
【請求項２】
金属又はプラスチック釣具錘の交換装置に中空を施した釣具錘を交換するために、コイル形状金具又はチューブ形状ゴム・プラスチックの抜け防止固定具から外し針金形状金属又はプラスチック釣具錘の交換装置先端部分から釣具錘を抜き取り交換実施できる形態を特徴する請求項１の釣具錘の交換装置。
【請求項３】
釣糸３に金属又はプラスチック釣具錘の交換装置形状を2辺形状にさせた頂点に金属又はプラスチック釣具錘の交換装置を輪形状に施しフック付き釣具錘を装着交換実施できる形態を特徴する請求項１又は２の釣具錘の交換装置。
【請求項４】
釣糸に金属又はプラスチック釣具錘の交換装置形状を直線状にさせた金属又はプラスチック釣具錘の交換装置に予め固定した釣具錘を釣糸に交換設置することで実施できる形態を特徴する請求項１、２又は３の釣具錘の交換装置。
【考案の詳細な説明】
【技術分野】
【０００１】
本考案は、釣道具に使用する錘を釣糸に簡単に交換する装置に関するものである。
【背景技術】
【０００２】
釣りを行っている釣り人の釣具錘交換において、魚のいる場所の水中よって魚種の生息領域が水中深度環境の違い・岩場や砂地の環境が違い・水流環境の違い・餌の捕食時間の違い等の釣り場が変わる都度に釣具の錘を交換する必要があり、既存の釣具錘を交換する時には錘を施した釣糸を切断して新たな錘を施し釣糸を再び結び直す手間と時間が掛かっていた事に問題があった。
【先行技術文献】
【特許文献】
【０００３】
【特許文献１】特開２００３−１６９５７６
【考案の概要】
【考案が解決しようとする課題】
【０００４】
解決しようとする課題は、釣糸を切断する事無く簡単に錘を設置及び交換できない点である。
【課題を解決するための手段】
【０００５】
本考案は、釣具の釣糸を切断する事無く釣糸に釣具錘の設置をすることが特徴とする。
【考案の効果】
【０００６】
本考案の釣具錘の装置は、装置の上部と下部に螺旋状コイル形状を施して、釣糸を螺旋状コイル形状の間に釣糸を螺旋状コイル形状の中空を通して釣具錘の装置が釣糸に装着することで、釣糸を切断し新たな錘を交換設置し釣糸を再び結び直す手間と時間掛けずに設置できる利点かある。
【０００７】
また、釣具錘の装置に釣り場の環境に応じた釣具錘の交換が、釣糸を切断して新たな錘を交換設置し釣糸を再び結び直す手間と時間掛けずできる利点がある。
【図面の簡単な説明】
【０００８】
【図１】図１は釣糸に、中空を施した釣具錘を交換装置に設置装着実施した形態の図面である。
【図２】図２は釣糸に、中空を施した釣具錘を交換装置の交換する状態を実施した形態の図面である。
【図３】図３は釣糸に、フック付き釣具錘を交換装置に設置装着実施した形態の図面である。
【図４】図４は釣糸に、釣具錘を交換装置に予め固定し設置装着実施した形態の図面である。
【考案を実施するための形態】
【０００９】
釣具錘の装着具を釣具の釣糸を切断する事無く装着実施するために、釣具錘の交換装置上部と下部に螺旋状コイル形状を施して釣糸を螺旋状コイル形状の中空を通して釣具錘の交換装置が釣糸に装着実施できる釣具錘の交換装置の形態である。
【００１０】
また、釣具錘の交換装置を釣具の釣糸に設置後に釣具錘の交換装置の下部螺旋状コイル形状から突起した金具に中空を施した釣具錘を脱着交換することのできる釣具錘の交換装置の形態である。
【００１１】
さらに、釣具錘を交換装置に予め固定した釣具錘の交換装置に釣糸に設置することで錘交換ができる釣具錘の交換装置の形態である。
【実施例１】
【００１２】
図１は、釣糸３に金属又はプラスチック釣具錘の交換装置４の上部螺旋状コイル形状４−ａと下部螺旋状コイル形状４−ｂに釣糸３を通して設置し、その金属又はプラスチック釣具錘の交換装置４−ｃに中空６−ａを施した釣具錘６を設置して、金属又はプラスチックの交換装置４−ｃからコイル形状金具又はチューブ形状ゴム・プラスチックの抜け防止固定具５で固定をして実施できる釣具錘の交換装置の形態図である。
【００１３】
図２は、金属又はプラスチック釣具錘の交換装置４−ｃに中空６−ａを施した釣具錘６を交換するために、コイル形状金具又はチューブ形状ゴム・プラスチックの抜け防止固定具５から外し金属又はプラスチック釣具錘の交換装置４−ｃの先端部分から釣具錘６を抜き取り６−ｂ交換実施できる釣具錘の交換装置の形態図である。
【００１４】
図３は、釣糸３に金属又はプラスチック釣具錘の交換装置形状４を2辺状にさせた頂点に金属又はプラスチック釣具錘の交換装置を輪形状４―ｅにフック付き釣具錘６−ｃを装着交換実施できる釣具錘の交換装置の形態図である。
【００１５】
図４は、釣糸３に金属又はプラスチック釣具錘の交換装置形状４を直線状にさせた金属又はプラスチック釣具錘の交換装置４に予め固定した釣具錘６―ｅを釣糸３に交換設置することで実施できる釣具錘の交換装置の形態図である。
【産業上の利用可能性】
【００１６】
釣具錘の交換に釣り人は、釣環境変化に対応がこれまでより早くできることで、釣の成果が向上できる。
【符号の説明】
【００１７】
１    釣具の主糸
２    釣具の主糸と釣具錘設置する糸を結合する上部サルカン金具
２−ａ釣具錘設置する糸とハリス糸を結合する下部サルカン金具
３    釣具錘の交換装置を設置する糸
４    釣具錘の交換装置（針金形状金属又はプラスチック釣具錘の交換装置）
４−ａ釣具錘の交換装置上部螺旋状コイル形状
４−ｂ釣具錘の交換装置下部螺旋状コイル形状
４−ｃ釣具錘の交換装置下部螺旋状コイル形状から伸ばした錘装着部
４−ｄ釣具錘の交換装置上下移動矢印
４−ｅ釣具錘の交換装置を２辺状頂点の釣具錘装着する輪形状
５    コイル形状金具又はチューブ形状ゴム・プラスチックの抜け防止固定具
６    釣具錘
６−ａ釣具錘の中空
６−ｂ釣具錘の交換装置に予め固定した釣具錘
６−ｃフック付き釣具錘
７    釣具錘の交換装置抜け防止下部クッション
８    釣り針
９    ハリス糸
【図１】
0003171715.tif 000003
【図２】
0003171715.tif 000004
【図３】
0003171715.tif 000005
【図４】
0003171715.tif 000006
【手続補正書】
【提出日】平成23年7月14日(2011.7.14)
【手続補正１】
【補正対象書類名】実用新案登録請求の範囲
【補正対象項目名】請求項３
【補正方法】変更
【補正の内容】
【請求項３】
釣糸に金属又はプラスチック釣具錘の交換装置上部螺旋状コイル形状と下部螺旋状コイル形状に釣糸を通して設置し交換装置形状を２辺形状にさせた頂点に金属又はプラスチック釣具錘の交換装置を輪形状に施しフック付き釣具錘を装着交換実施できる形態を特徴する釣具錘の交換装置。
【手続補正２】
【補正対象書類名】実用新案登録請求の範囲
【補正対象項目名】請求項４
【補正方法】変更
【補正の内容】
【請求項４】
釣糸に金属又はプラスチック釣具錘の交換装置上部螺旋状コイル形状と下部螺旋状コイル形状に釣糸を通して設置し直線状にさせた金属又はプラスチック釣具錘を予め固定した釣具錘を釣糸に交換設置することで実施できる形態を特徴する釣具錘の交換装置。